(57)【要約】【課題】表示装置の液晶画面を見易くする。【解決手段】液晶ディスプレイ１０３を備えた表示装置１００において、液晶ディスプレイ１０３の近傍に配置され、顧客の顔画像を撮影する顧客画像取得部５０１と、顧客画像取得部５０１が撮影した画像データから顧客の顔位置を認識し、顧客の顔位置から液晶ディスプレイ１０３に対する顧客の目線の角度を導出する判断部６０２と、その角度に対応させて液晶ディスプレイ１０３の所定領域毎の画素の表示色を補正する補正値を保持する補正データテーブル６１０と、判断部６０２が導出した角度に基づいて補正データテーブル６１０から取得した補正値に基づいて液晶ディスプレイ１０３に表示する画像データの所定領域毎に画素の表示色を補正する画面表示制御部６０５とを備えた。【選択図】        図１
2014038200.tif 000002
【特許請求の範囲】
【請求項１】
液晶画面を備えた表示装置において、
前記液晶画面の近傍に配置され、顧客の顔画像を撮影する顧客画像取得部と、
前記顧客画像取得部が撮影した画像データから前記顧客の顔位置を認識し、前記顧客の顔位置から前記液晶画面に対する前記顧客の目線の角度を導出する解析部と、
前記角度に対応させて前記液晶画面の所定領域毎の画素の表示色を補正する補正値を保持する補正データ保持部と、
前記解析部が導出した前記角度に基づいて前記補正データ保持部から取得した補正値に基づいて前記液晶画面に表示する画像データの所定領域毎に画素の表示色を補正する画面表示制御部とを有することを特徴とする表示装置。
【請求項２】
請求項１に記載の表示装置において、
前記解析部は、さらに前記顧客の顔位置から前記顧客の目と前記液晶画面との距離を導出し、
前記補正データ保持部は、さらに前記距離に対応させて前記液晶画面の所定領域毎の画素の表示色を補正する補正値を保持し、
前記画面表示制御部は、さらに前記解析部が導出した前記距離に基づいて前記補正データ保持部から取得した補正値に基づいて前記液晶画面に表示する画像データの所定領域毎に画素の表示色を補正することを特徴とする表示装置。
【請求項３】
請求項１または請求項２に記載の表示装置において、
前記顧客の年齢を取得する年齢取得部を備え、
前記補正データ保持部は、さらに前記年齢に対応させて前記液晶画面の全領域の画素の表示色を補正する補正値を保持し、
前記画面表示制御部は、さらに前記年齢取得部で取得された前記年齢に基づいて前記補正データ保持部から取得した補正値に基づいて前記液晶画面に表示する画像データの所定領域毎に画素の表示色を補正することを特徴とする表示装置。
【請求項４】
請求項３に記載の表示装置において、
前記年齢取得部は、前記顧客画像取得部が撮影した画像データから顧客の年齢を導出する年齢認識部であることを特徴とする表示装置。
【請求項５】
液晶画面を備えた表示装置を有する金融システム装置において、
前記液晶画面の近傍に配置され、顧客の顔画像を撮影する顧客画像取得部と、
前記顧客画像取得部が撮影した画像データから前記顧客の顔位置を認識し、前記顧客の顔位置から前記液晶画面に対する前記顧客の目線の角度を導出する解析部と、
前記角度に対応させて前記液晶画面の所定領域毎の画素の表示色を補正する補正値を保持する補正データ保持部と、
前記解析部が導出した前記角度に基づいて前記補正データ保持部から取得した補正値に基づいて前記液晶画面に表示する画像データの所定領域毎に画素の表示色を補正する画面表示制御部とを備えた表示装置を有することを特徴とする金融システム装置。
【請求項６】
液晶画面を備えた表示装置に画面を表示する液晶画面表示方法において、
前記液晶画面の近傍に配置された顧客画像取得部で顧客の顔画像を撮影するステップと、
前記顧客画像取得部が撮影した画像データから前記顧客の顔位置を認識し、前記顧客の顔位置から前記液晶画面に対する前記顧客の目線の角度を解析部が導出するステップと、
画面表示制御部が、前記解析部が導出した前記角度に基づいて前記角度に対応させて前記液晶画面の所定領域毎の画素の表示色を補正する補正値を保持する前記補正データ保持部から取得した補正値に基づいて、前記液晶画面に表示する画像データの所定領域毎に画素の表示色を補正するステップとを含むことを特徴とする液晶画面表示方法。
【発明の詳細な説明】
【技術分野】
【０００１】
本発明は、液晶画面を備えた表示装置、その表示装置を備えた金融システム装置および液晶画面表示方法に関する。
【背景技術】
【０００２】
近年、銀行に代表される金融システムにおいて、現金自動預け払い機等の自動取引装置が普及しており、簡易な金融取引であれば自動取引装置のみで取引を行うことができるようになっている。また、複雑な金融取引やお年寄りなど自動取引装置に不慣れな顧客に対しては金融機関の窓口において窓口端末を操作するオペレータを介して取引を行なう様にしている。このような自動取引装置や窓口端末は、操作や情報の入力、資料の閲覧等を行なうため、液晶画面を備えた表示装置を有している。
従来の表示装置は、同一視点からの色むらや色ずれを低減させるため、表示補正データに基づいて画像を補正して表示するようにしているものがある（例えば、特許文献１参照）。
【先行技術文献】
【特許文献】
【０００３】
【特許文献１】特開２００５−３３８１４８号公報
【発明の概要】
【発明が解決しようとする課題】
【０００４】
しかしながら、従来の技術においては、自動取引装置や窓口端末の液晶画面の位置や角度は固定されており、顧客の身長や立ち位置などによって液晶画面の視野角から外れてしまうことがあり、また視野角の範囲内に居たとしても液晶画面上で正面の視線から離れてしまうと輝度や色調に変化が発生してしまうことがあり、液晶画面が見難くなるという問題がある。
本発明は、このような問題を解決することを課題とし、表示装置の液晶画面を見易くすることを目的とする。
【課題を解決するための手段】
【０００５】
そのため、本発明は、液晶画面を備えた表示装置において、前記液晶画面の近傍に配置され、顧客の顔画像を撮影する顧客画像取得部と、前記顧客画像取得部が撮影した画像データから前記顧客の顔位置を認識し、前記顧客の顔位置から前記液晶画面に対する前記顧客の目線の角度を導出する解析部と、前記角度に対応させて前記液晶画面の所定領域毎の画素の表示色を補正する補正値を保持する補正データ保持部と、前記解析部が導出した前記角度に基づいて前記補正データ保持部から取得した補正値に基づいて前記液晶画面に表示する画像データの所定領域毎に画素の表示色を補正する画面表示制御部とを有することを特徴とする。
【発明の効果】
【０００６】
このようにした本発明は、表示装置の液晶画面を見易くすることができるという効果が得られる。
【図面の簡単な説明】
【０００７】
【図１】実施例における表示装置の構成を示すブロック図
【図２】実施例における表示装置の構成を示す説明図
【図３】実施例における表示処理の流れを示すフローチャート
【図４】実施例における目線の角度および液晶ディスプレイと顧客の目の距離を示す説明図
【図５】実施例における補正データテーブルの説明図
【図６】実施例における補正後の液晶ディスプレイ表示の説明図
【図７】実施例における年齢別補正データテーブルの説明図
【図８】実施例における液晶ディスプレイ表示内容の説明図
【図９】実施例における液晶ディスプレイ表示内容の説明図
【図１０】実施例における補正データテーブルの説明図
【発明を実施するための形態】
【０００８】
以下、図面を参照して本発明による表示装置、金融システム装置および液晶画面表示方法の実施例を説明する。
【実施例１】
【０００９】
図２は実施例における表示装置の構成を示す説明図である。
図２において、液晶画面を備えた表示装置１００は、制御用コンピュータ１０１と、カメラ１０２と、液晶ディスプレイ１０３とにより構成され、制御用コンピュータ１０１とカメラ１０２とは画像転送ケーブル１０４で通信可能に接続され、制御用コンピュータ１０１と液晶ディスプレイ１０３とは画像表示用ケーブル１０５で通信可能に接続されている。
この表示装置１００は、現金自動預け払い機等の自動取引装置や金融機関の窓口端末等の金融システム装置に備えられるものである。
【００１０】
制御用コンピュータ１０１は、パーソナルコンピュータ等の汎用のコンピュータであり、画面表示用プログラム（ソフトウェア）等を搭載したものである。
カメラ１０２は、ＣＣＤ（Ｃｈａｒｇｅ  Ｃｏｕｐｌｅｄ  Ｄｅｖｉｃｅ）カメラ等を備え、静止画や動画を撮影するものである。本実施例では、カメラ１０２は、液晶ディスプレイ１０３の近傍に、顧客に向けて固定して配置され、顧客の顔画像を撮影する。したがって、カメラ１０２により撮影された顧客の顔画像から顧客の液晶ディスプレイ１０３に対する目線の角度および顧客の目と液晶ディスプレイ１０３との距離を検出することができるようになっている。
【００１１】
液晶画面としての液晶ディスプレイ１０３は、画像を表示する機能を備えた汎用のディスプレイであり、制御用コンピュータ１０１の指示に従って画像を表示するものである。
画像転送ケーブル１０４は、ＵＳＢ（Ｕｎｉｖｅｒｓａｌ  Ｓｅｒｉａｌ  Ｂｕｓ）等の規格に則った通信ケーブルであり、カメラ１０２と制御用コンピュータ１０１との間を通信可能に接続している。したがって、制御用コンピュータ１０１は、画像転送ケーブル１０４を介してカメラ１０２で撮影された画像データを受信することができるようになっている。
【００１２】
画像表示用ケーブル１０５は、ＶＧＡやＤＶＩ等の規格に則った通信ケーブルであり、制御用コンピュータ１０１と液晶ディスプレイ１０３との間を通信可能に接続している。したがって、制御用コンピュータ１０１は、画像表示用ケーブル１０５を介してカメラ１０２で撮影された画像データを液晶ディスプレイ１０３へ送信することができるようになっている。
【００１３】
図１は実施例における表示装置の構成を示すブロック図である。
図１において、カメラ１０２は、顧客画像取得部５０１と、顧客画像送信部５０２とにより構成されている。本実施例では、カメラ１０２は、金融システム装置の液晶ディスプレイ１０３の近傍に配置され、金融システム装置を使用して金融取引を行なう顧客の顔画像を撮影するものとする。
顧客画像取得部５０１は、顧客の顔画像を撮影し、ディジタル化された画像データとして取得するものである。
【００１４】
顧客画像送信部５０２は、顧客画像取得部５０１で取得された顧客の顔の画像データを制御用コンピュータ１０１へ送信するものである。
このように構成されたカメラ１０２は、ＣＰＵ（Ｃｅｎｔｒａｌ  Ｐｒｏｃｅｓｓｉｎｇ  Ｕｎｉｔ）等の制御部およびメモリ等の記憶部を備え、記憶部に格納された制御プログラム（ソフトウェア）に基づいて制御部により全体の動作が制御される。
制御用コンピュータ１０１は、顧客画像受信部６０１と、判断部６０２と、顔位置認識部６０３と、年齢認識部６０４と、画面表示制御部６０５と、画面情報送信部６０６とにより構成されている。
顧客画像受信部６０１は、カメラ１０２から送信された顧客の顔の画像データを受信する。
【００１５】
解析部としての判断部６０２は、顧客画像受信部６０１が受信した顧客の顔の画像データを顔位置認識部６０３に送り、顔位置認識部６０３に画像データ中の顧客の顔の位置を検出させ、検出した顧客の顔の位置から液晶ディスプレイ１０３に対する顧客の目線（視線）の角度、および顧客の目と液晶ディスプレイ１０３との距離を検出する。このとき、必要に応じ液晶ディスプレイ１０３の各画素毎に顧客の目線の角度を算出する。なお、判断部６０２が行なう顧客の顔の位置から液晶ディスプレイ１０３に対する顧客の目線（視線）の角度、および顧客の目と液晶ディスプレイ１０３との距離を検出する処理は、予め把握しておく液晶ディスプレイ１０３の中心または各画素毎の三次元的配列や配置角度や画面サイズの情報、および検出した顧客の顔（目）の三次元的な配置の情報から液晶ディスプレイ１０３と顧客の目との相対的位置関係を把握することにより、公知の技術を用いて行うものとする。なお、顧客の目の位置は、左右どちらかの目に合わせても、左右の目の中間の位置としても良い。
【００１６】
ここで、液晶ディスプレイ１０３に対する顧客の目線（視線）の角度、および顧客の目と液晶ディスプレイ１０３との距離について説明する。
図４は実施例における目線の角度および液晶ディスプレイと顧客の目の距離を示す説明図であり、図４（ａ）は液晶ディスプレイ１０３を側面から見た図、図４（ｂ）は液晶ディスプレイ１０３を正面から見た図である。
図４において、図４（ｂ）に示す液晶ディスプレイ１０３の表示面１０３ａの一方向（図中の液晶ディスプレイ１０３の長手方向）をＸ方向、他の一方向（図中の液晶ディスプレイ１０３の短手方向）をＹ方向、Ｘ方向およびＹ方向（表示面１０３ａ）に直交する方向をＺ方向とする。
【００１７】
図４（ａ）に示すように、液晶ディスプレイ１０３の表示面１０３ａの中心４２と顧客の目４１ａ〜４１ｅとの距離は、距離Ｌａ〜Ｌｅとなる。また、中心４２を通り、表示面１０３ａと直交する軸４３とＹ軸方向における目４１ａ〜４１ｅの目線４４ａ〜４４ｅとの角度を垂直角とすると、目線４４ａの垂直角は（−α２）、目線４４ｂの垂直角は（−α１）、目線４４ｃの垂直角は（０）、目線４４ｄの垂直角は（α１）、目線４４ｅの垂直角は（α２）となる。
【００１８】
また、図４（ｂ）に示すように、液晶ディスプレイ１０３の表示面１０３ａの中心４２と顧客の目５１ａ〜５１ｅとの距離は、距離Ｌａ〜Ｌｅとなる。また、中心４２を通り、表示面１０３ａと直交する軸５３とＸ軸方向における目５１ａ〜５１ｅの目線５４ａ〜５４ｅとの角度を水平角とすると、目線５４ａの水平角は（−β２）、目線５４ｂの水平角は（−β１）、目線５４ｃの水平角は（０）、目線５４ｄの水平角は（β１）、目線５４ｅの水平角は（β２）となる。
このように、判断部６０２は、液晶ディスプレイ１０３に対する顧客の目線（視線）の角度として垂直角および水平角、並びに顧客の顔の位置から顧客の目と液晶ディスプレイ１０３との距離を検出する。
【００１９】
図１の説明に戻り、また判断部６０２は、顧客画像受信部６０１が受信した顧客の顔の画像データを年齢認識部６０４に送り、年齢認識部６０４に顧客の年齢を導出させる。
このように、判断部６０２は、カメラ１０２の顧客画像取得部５０１が撮影した画像データから顧客の顔位置を認識し、その顧客の顔位置から液晶ディスプレイ１０３に対する顧客の目線の角度、また顧客の顔位置から顧客の目と液晶ディスプレイ１０３との距離を導出する。さらに、年齢認識部６０４から顧客の年齢を取得する。
顔位置認識部６０３は、判断部６０２から送られた顧客の顔の画像データを解析し、画像データ中の顧客の顔を抽出し、画像データ中の顧客の顔の位置を検出する。
【００２０】
年齢取得部としての年齢認識部６０４は、判断部６０２から送られた顧客の顔の画像データを解析し、顧客の年齢を推定し、導出する。なお、年齢認識部６０４が行なう顧客の年齢を推定する処理は公知の技術により行うものとする。
本実施例では、顧客の年齢を取得する年齢取得部を、顧客の顔の画像データを解析し、顧客の年齢を推定し、導出する年齢認識部６０４として説明するが、顧客識別情報が記録されたカード等の記憶媒体から当該顧客識別情報を読み取り、顧客識別情報に関連付けられて顧客の年齢（または生年月日）が記憶された図示しない顧客データベースから顧客の年齢を取得するようにしても良い。
【００２１】
画面表示制御部６０５は、判断部６０２の指示により、顔位置認識部６０３で検出された液晶ディスプレイ１０３に対する顧客の目線の角度である垂直角および水平角、並びに顧客の目と液晶ディスプレイ１０３との距離に基づいて記憶部に予め記憶された補正データテーブル６１０を参照して液晶ディスプレイ１０３に表示する画面の画像データの所定領域毎に画素の表示色を補正する。
さらに、画面表示制御部６０５は、液晶ディスプレイ１０３に対する顧客の目線の角度である垂直角および水平角、並びに顧客の目と液晶ディスプレイ１０３との距離に基づいて補正された画像データの表示色を、年齢認識部６０４で導出された顧客の年齢に基づいて記憶部に予め記憶された補正データテーブル６１０を参照して補正する。
【００２２】
ここで、補正データテーブル６１０について説明する。
補正データ保持部としての補正データテーブル６１０は、液晶ディスプレイ１０３に対する顧客の目線の角度である垂直角および水平角に対応させ、また顧客の目と液晶ディスプレイ１０３との距離に対応させて液晶ディスプレイ１０３の所定領域毎の画素の表示色を補正する補正値を保持するものであり、さらに顧客の年齢に対応させて液晶ディスプレイ１０３の全領域の画素の表示色を補正する補正値を保持するものである。
【００２３】
本実施例では、図５に示す補正データテーブル６１１または図１０に示す補正データテーブル６１３、および図７に示す年齢別補正データテーブル６１２により構成されている。
まず、液晶ディスプレイ１０３に対する顧客の目線の角度である垂直角および水平角、顧客の目と液晶ディスプレイ１０３との距離に応じて補正値を保持する補正データテーブル６１１を説明する。
【００２４】
図５に示すように、補正データテーブル６１１は、例えば液晶ディスプレイ１０３に対する顧客の目線の角度である垂直角（図４に示す垂直角α）および水平角（図４に示す水平角β）のそれぞれについて−９０度〜９０度の範囲で１０度毎に、画素毎のＲＧＢ（Ｒｅｄ、Ｇｒｅｅｎ、Ｂｌｕｅ）の輝度の補正値を保持するものである。また、この補正データテーブル６１１は、顧客の目と液晶ディスプレイ１０３との距離Ｌに応じて（本実施例では、距離Ｌ＝１０〜１００ｃｍの範囲で１０ｃｍ毎）補正データテーブル６１１ａ〜６１１ｊを保持している。
補正値は、画素の輝度を増減する割合（％）であり、例えば−１２７〜＋１２７までの値で表現され、マイナスは輝度を減少させ、プラスは輝度を増加させる。
【００２５】
図６は実施例における補正後の液晶ディスプレイ表示の説明図であり、図５に示す補正データテーブル６１１により補正した画像データの表示画面の例を示している。
図６（ａ）は、垂直角αを−１０度、水平角βを０度、距離Ｌを５０ｃｍとしたときの補正後の画像データを表示した画面を表し、垂直角αが−１０度であるため、液晶ディスプレイ１０３の図中下方および横方向の端部の領域の画素の輝度を増加させて表示している。
図６（ｂ）は、垂直角αを０度、水平角βを０度、距離Ｌを５０ｃｍとしたときの補正後の画像データを表示した画面を表し、垂直角αおよび水平角βが０度であるため、液晶ディスプレイ１０３の図中上方および下方並びに横方向の端部の領域の画素の輝度を増加させて表示している。
【００２６】
図６（ｃ）は、垂直角αを＋１０度、水平角βを０度、距離Ｌを５０ｃｍとしたときの補正後の画像データを表示した画面を表し、垂直角αが＋１０度であるため、液晶ディスプレイ１０３の図中上方および横方向の端部の領域の画素の輝度を増加させて表示している。
図６（ｄ）は、垂直角αを−１０度、水平角βを０度、距離Ｌを１００ｃｍとしたときの補正後の画像データを表示した画面を表し、距離Ｌが１００ｃｍであるため、液晶ディスプレイ１０３の図中全体の領域の画素の輝度を図６（ａ）と比較して増加させて表示している。
【００２７】
なお、本実施例では、液晶ディスプレイ１０３の全画素について１画素毎に補正データテーブル６１１を備えるものとするが、液晶ディスプレイ１０３の所定の領域毎（例えば、９画素や２５画素）の矩形領域毎に補正データテーブル６１０を備えるようにしても良い。さらに、補正データテーブルの各補正値の差が小さいときには、液晶ディスプレイ１０３の全領域に対して１つの補正値を持たせるようにしても良い。
【００２８】
次に、図１０に示す液晶ディスプレイ１０３に対する顧客の目線の角度である垂直角および水平角に応じて補正値を保持する補正データテーブル６１３を説明する。これは、液晶ディスプレイ１０３の全画素について１画素毎に補正データテーブルを備える場合、顧客の目と液晶ディスプレイ１０３との距離による補正を行う必要が少なくなるためであり、補正処理の高速化を図るため、目線の角度だけで補正を行うようにしたものである。
図１０に示すように、補正データテーブル６１３は、例えば液晶ディスプレイ１０３に対する顧客の目線の角度である垂直角（図４に示す垂直角α）および水平角（図４に示す水平角β）のそれぞれについて−９０度〜９０度の範囲で１０度毎に、画素毎のＲＧＢ（Ｒｅｄ、Ｇｒｅｅｎ、Ｂｌｕｅ）の輝度の補正値を保持するものである。
【００２９】
本補正データテーブル６１３は、画素の対する目線の角度のみをパラメータとするものであるが、液晶ディスプレイ１０３の各画素の目線の角度に対する色変化特性は通常すべての画素について同様であると考えられる。そのため、補正データテーブル６１３は、液晶ディスプレイ１０３のすべての画素について用意する必要はなく、一つのみ保持すれば良く、記憶領域の利用効率を向上させることができる。
補正値は、画素の輝度を増減する割合（％）であり、例えば−１２７〜＋１２７までの値で表現され、マイナスは輝度を減少させ、プラスは輝度を増加させる。
【００３０】
次に、図７に示す年齢別補正データテーブル６１２を説明する。図７に示す年齢別補正データテーブル６１２は、画面表示制御部６０５が顧客の年齢に基づいて行なう画像データの補正を行う際に参照される補正値であり、画面表示制御部６０５は、顧客の年齢に応じて年齢別補正データテーブル６１２から取得した補正値に基づいて画像データの輝度を補正する。
【００３１】
年齢別補正データテーブル６１２の補正値は、図７に示すように、例えば顧客年齢が３０歳以下の場合（分類Ａ）は−１０％、３１歳以上５０歳以下の場合（分類Ｂ）は０％、５１歳以上７０歳以下の場合（分類Ｃ）は＋１０％、７１歳以上の場合（分類Ｄ）は＋２０％とする。なお、補正値は、画素の輝度を増減する割合（％）であり、例えば−１２７〜＋１２７までの値で表現され、マイナスは輝度を減少させ、プラスは輝度を増加させる。
本実施例では、顧客の年齢が高くなるほど輝度を増加させる補正値とし、顧客の年齢が低くなるほど輝度を低下させる補正値としている。これは、若年齢の顧客の場合、高いコントラストの映像は比較的、目の疲労を感じ易く、逆に高齢の顧客の場合、低いコントラストの映像は、視認し難いためである。
【００３２】
図１の説明に戻り、画面情報送信部６０６は、画面表示制御部６０５で補正された画像データを液晶ディスプレイ１０３へ送信し、液晶ディスプレイ１０３に表示させる。
このように構成された制御用コンピュータ１０１は、ＣＰＵ等の制御部およびメモリ等の記憶部を備え、記憶部に格納された制御プログラム（ソフトウェア）に基づいて制御部により全体の動作が制御される。
【００３３】
上述した構成の作用について説明する。
表示装置が行う表示処理を図３の実施例における表示処理の流れを示すフローチャートの図中Ｓで表すステップにしたがって図１を参照しながら説明する。なお、本実施例では、金融機関の窓口のローカウンタ業務において、窓口端末の表示装置１００の液晶ディスプレイ１０３を用いて顧客に取引情報の表示を行う場合を説明する。また、液晶ディスプレイ１０３はローカウンタに立位の状態で配置されているものとする。
【００３４】
Ｓ１：表示装置１００の液晶ディスプレイ１０３に画面を表示する際、まず、カメラ１０２の顧客画像取得部５０１は、顧客の顔画像を撮影して顧客の顔画像データを取得し、顧客画像送信部５０２は、顧客画像取得部５０１が取得した顧客の顔画像データを制御用コンピュータ１０１へ送信する。
Ｓ２：制御用コンピュータ１０１の顧客画像受信部６０１は、カメラ１０２から送信された顧客の顔画像データを受信し、判断部６０２へ送る。判断部６０２は、顧客の顔画像データに基づいて画像データ中の顧客の顔の位置を検出する指示を顔位置認識部６０３へ通知する。指示を受けた顔位置認識部６０３は、判断部６０２から送られた顧客の顔画像データを解析し、画像データ中の顧客の顔を抽出し、画像データ中の顧客の顔の位置を検出する。
【００３５】
Ｓ３：判断部６０２は、顔位置認識部６０３で検出した顧客の顔の位置から液晶ディスプレイ１０３に対する顧客の目線（視線）の角度、および顧客の目と液晶ディスプレイ１０３との距離を検出する。ここで、液晶ディスプレイ１０３に対する顧客の目線（視線）の角度は、図４に示す垂直角αおよび水平角βであり、顧客の目と液晶ディスプレイ１０３との距離は、図４に示す距離Ｌである。
【００３６】
Ｓ４：判断部６０２は、顧客の顔画像データに基づいて画像データ中の顧客の年齢を導出する指示を年齢認識部６０４へ通知する。指示を受けた年齢認識部６０４は、顧客の顔画像データを解析し、顧客の年齢を導出する。
Ｓ５：画面表示制御部６０５は、判断部６０２の指示により、顔位置認識部６０３で検出された液晶ディスプレイ１０３に対する顧客の目線の角度である垂直角および水平角、並びに顧客の目と液晶ディスプレイ１０３との距離に基づいて記憶部に予め記憶された補正データテーブル６１０を参照して補正値を取得する。
【００３７】
ここで、画面表示制御部６０５は、液晶ディスプレイ１０３に対する顧客の目線の角度である垂直角および水平角、並びに顧客の目と液晶ディスプレイ１０３との距離に基づいて補正値を取得する場合、図５に示す補正データテーブル６１１から補正値を取得し、液晶ディスプレイ１０３に対する顧客の目線の角度である垂直角および水平角に基づいて補正値を取得する場合、図１０に示す補正データテーブル６１３から補正値を取得する。なお、補正データテーブル６１３を使用する場合は、各画素毎に顧客の目線との角度を求めるものとする。
【００３８】
また、画面表示制御部６０５は、年齢認識部６０４で導出された顧客の年齢に基づいて補正データテーブル６１０を参照して補正値を取得する。このとき、画面表示制御部６０５は、図７に示す年齢別補正データテーブル６１２から補正値を取得する。
Ｓ６：画面表示制御部６０５は、顧客の目線の角度等に基づいて補正データテーブル６１０（図５に示す補正データテーブル６１１または図１０に示す補正データテーブル６１３）から取得した補正値に基づいて液晶ディスプレイ１０３に表示する画面の画像データを補正する。
【００３９】
さらに、画面表示制御部６０５は、補正された画像データを、顧客の年齢に基づいて補正データテーブル６１０（図７に示す年齢別補正データテーブル６１２）から取得した補正値に基づいて補正する。
画面情報送信部６０６は、画面表示制御部６０５で補正された画像データを液晶ディスプレイ１０３へ送信する。
Ｓ７：液晶ディスプレイ１０３は、制御用コンピュータ１０１から受信した画像データに基づいて画面を表示し、処理をＳ１へ移行する。
【００４０】
図８および図９は実施例における液晶ディスプレイ表示内容の説明図である。
図８は、顧客の目の位置が、図４（ａ）に示す４１ｄかつ図４（ｂ）に示す５１ｃの位置、すなわち垂直角がα１度、水平角が０度であり、顧客の年齢が７１歳以上の場合に液晶ディスプレイ１０３に表示される取引画面である。この画面は、顧客の目からの距離が大きい図中上方および横方向の端部の領域の画素の輝度が上げられ、顧客の目からの距離が小さい図中下方および横方向の中央部の領域の画素の輝度が下げられている。また顧客の年齢が７１歳以上であるため画面の全領域の画素の輝度が図９と比較して上げられている。
【００４１】
図９は、顧客の目の位置が、図４（ａ）に示す４１ｂかつ図４（ｂ）に示す５１ｃの位置、すなわち垂直角が−α１度、水平角が０度であり、顧客の年齢が３０歳以下の場合に液晶ディスプレイ１０３に表示される取引画面である。この画面は、顧客の目からの距離が大きい図中下方および横方向の端部の領域の画素の輝度が上げられ、顧客の目からの距離が小さい図中上方および横方向の中央部の領域の画素の輝度が下げられている。また顧客の年齢が３０歳以下であるため、画面の全領域の画素の輝度が図８と比較して下げられている。
【００４２】
このように、画面表示制御部６０５が、顔位置認識部６０３で検出された液晶ディスプレイ１０３に対する顧客の目線の角度である垂直角および水平角、並びに顧客の目と液晶ディスプレイ１０３との距離に基づいて記憶部に予め記憶された補正データテーブル６１０を参照して液晶ディスプレイ１０３に表示する画面の画像データを補正するようにしたことにより、顧客の目の位置に合わせた画像データを生成することができ、顧客の目の位置に合わせて液晶ディスプレイ１０３の位置を変えることなく、表示装置１００が液晶ディスプレイ１０３に表示する画面を見易くすることができる。
【００４３】
また、画面表示制御部６０５が、画像データを顧客の年齢に応じて図６に示す年齢別補正データテーブルから取得した補正値に基づいて補正するようにしたことにより、若年層の顧客には目の疲労を和らげる輝度を下げた画面を表示し、高齢者の顧客には視認し易くなるように輝度を上げた画面を表示することができる。
さらに、液晶ディスプレイ１０３に対する顧客の目線の角度である垂直角および水平角、顧客の目と液晶ディスプレイ１０３との距離、並びに顧客の年齢に基づいて画像データを補正するようにしたことにより、液晶ディスプレイ１０３に表示する画面を他の顧客にとって判別し難い画面とすることができ、個人情報の漏洩等を防止することができる。
【００４４】
以上説明したように、本実施例では、液晶画面に対する顧客の目線の角度である垂直角および水平角、並びに顧客の目と液晶画面との距離に基づいて液晶画面に表示する画面の画像データを補正するようにしたことにより、顧客の目の位置に合わせた画像データを生成することができ、表示装置の液晶画面に表示する画面を見易くすることができるという効果が得られる。
また、画像データを顧客の年齢に応じて補正するようにしたことにより、若年層の顧客には目の疲労を和らげる輝度を下げた画面を表示し、高齢者の顧客には視認し易くなるように輝度を上げた画面を表示することができるという効果が得られる。
さらに、液晶画面を他の顧客にとって判別し難い画面とすることができ、個人情報の漏洩等を防止することができるという効果が得られる。
【００４５】
なお、本実施例では、液晶ディスプレイは、金融機関の窓口において立位の場合について説明したが、それに限られるものでなく、液晶ディスプレイがカウンタに埋め込まれ、略水平に配置されている状態であっても良く、また自動取引装置に所定の角度で固定されている状態であっても良い。
また、本実施例では、制御用コンピュータで画像データを補正するものとして説明したが、それに限られるものでなく、通信回線に接続されたサーバ等で画像データを補正するようにしても良く、当該サーバ経由で他のシステムと連携させるようにしても良い。
【符号の説明】
【００４６】
１００  表示装置
１０１  制御用コンピュータ
１０２  カメラ
１０３  液晶ディスプレイ
１０４  画像転送ケーブル
１０５  画像表示用ケーブル
５０１  顧客画像取得部
５０２  顧客画像送信部
６０１  顧客画像受信部
６０２  判断部
６０３  顔位置認識部
６０４  年齢認識部
６０５  画面表示制御部
６０６  画面情報送信部
６１０  補正データテーブル
【図１】
2014038200.tif 000003
【図２】
2014038200.tif 000004
【図３】
2014038200.tif 000005
【図４】
2014038200.tif 000006
【図５】
2014038200.tif 000007
【図７】
2014038200.tif 000008
【図１０】
2014038200.tif 000009
【図６】
2014038200.tif 000010
【図８】
2014038200.tif 000011
【図９】
2014038200.tif 000012